(57)【要約】【課題】ドーム形状で最上部にフラット部を設けた天井パネルにおいて、フラット部に本体側面から風を吸い込むサイド吸入口を設けた換気扇を設置することで、特に壁パネル面及び天井パネル面を素早くしかも効率良く乾燥させるシステムを構築する。【解決手段】床６と、壁パネル７と、前記壁パネル７の少なくとも一面に設けたドア８と、ドーム形状の最上部にフラット部１０を有する天井パネル９と、前記天井パネル９に設置する換気扇１１とを備え、前記換気扇１１は本体側面にサイド吸入口１２を有し、前記換気扇１１を前記天井パネル９のフラット部１０に配置させた浴室乾燥システム。【選択図】図1
2005097837.tif 000002
【特許請求の範囲】
【請求項１】
床と、壁パネルと、前記壁パネルの少なくとも一面に設けたドアと、ドーム形状の最上部にフラット部を有する天井パネルと、前記天井パネルに設置する換気扇とを備え、前記換気扇は本体側面にサイド吸入口を有し、前記天井パネルのフラット部に配置させた浴室乾燥システム。
【請求項２】
前記天井パネルの表面が親水性を備えた請求項１記載の浴室乾燥システム。
【請求項３】
前記天井パネルの表面が撥水性を備えた請求項１記載の浴室乾燥システム。
【請求項４】
前記ドアの下方に下方吸入口と、上方に上方吸入口とを設けた請求項１〜３のいずれか１項に記載の浴室乾燥システム。
【請求項５】
前記床の少なくとも一部を加熱する加熱手段を有し、前記加熱手段は前記換気扇と連動運転可能な請求項１〜４記載の浴室乾燥システム。
【請求項６】
前記換気扇は中央部から風を吹出す吹出口を備えた請求項１〜５記載の浴室乾燥システム。
【請求項７】
前記壁パネルと前記天井パネルとの接合部に排水手段を設けた請求項１〜６記載の浴室乾燥システム。
【発明の詳細な説明】
【技術分野】
【０００１】
本発明は換気扇を利用した浴室乾燥システムに関するものである。
【背景技術】
【０００２】
従来、この種の浴室乾燥システムは、フラット形状した天井パネルに換気扇を取り付け浴室の換気及び乾燥を行なっている(例えば、特許文献１参照)。
【０００３】
図５は、特許文献１に記載された従来の浴室乾燥システムを示すものである。図５において、１は床、２は壁パネル、３はドア、４はフラット形状した天井パネル、５は換気扇である。
【特許文献１】特開平８−１５８６７１号公報
【発明の開示】
【発明が解決しようとする課題】
【０００４】
しかしながら、前記従来の構成では、換気扇から浴室内の空気を浴室外へ換気するだけでドアから吸入した空気が壁パネル面及び天井パネル面に直接当たりにくく、床面及び壁パネル面及び天井パネル面の乾きが遅いという課題を有していた。
【０００５】
本発明は、前記従来の課題を解決するもので、浴室全体、特に壁パネル面及び天井パネル面を素早くしかも効率良く乾燥させるシステムを構築するとした浴室乾燥システムを提供することを目的とする。
【課題を解決するための手段】
【０００６】
前記従来の課題を解決するために、本発明の浴室乾燥システムは、床と、壁パネルと、前記壁パネルの少なくとも一面に設けたドアと、ドーム形状の最上部にフラット部を有する天井パネルと、前記天井パネルに設置する換気扇とを備え、前記換気扇は本体側面にサイド吸入口を有し、前記天井パネルのフラット部に配置させた浴室乾燥システムとしたものである。
【０００７】
これによって、ドアから吸入した乾燥した空気が壁パネル面に沿って上部へ流れ、ドーム形状した天井パネルの最上部のフラット部に設置したサイド吸入口を設けた換気扇により、更に天井パネル面に沿って流れ、壁パネル面及び天井パネル面に付着した結露水等を含んだ湿った空気が換気扇から浴室外へ排出される。
【発明の効果】
【０００８】
本発明の浴室乾燥システムは、浴室全体、特に壁パネル面及び天井パネル面を素早くしかも効率良く乾燥させることができる。
【発明を実施するための最良の形態】
【０００９】
第1の発明は、床と、壁パネルと、前記壁パネルの少なくとも一面に設けたドアと、ドーム形状の最上部にフラット部を有する天井パネルと、前記天井パネルに設置する換気扇とを備え、前記換気扇は本体側面にサイド吸入口を有し、前記天井パネルのフラット部に配置させた浴室乾燥システムとすることにより、ドアから吸入した乾燥した空気が壁パネル面に沿って上部へ流れ、ドーム形状した天井パネルの最上部のフラット部に設置したサイド吸入口を設けた換気扇により、更に天井パネル面に沿って流れ、壁パネル面及び天井パネル面に付着した結露水等を含んだ湿った空気が換気扇から浴室外へ排出されるとなり、浴室全体、特に壁パネル面及び天井パネル面を素早くしかも効率良く乾燥させることができる。
【００１０】
第２の発明は、第１の発明の天井パネルの表面が親水性をることにより、天井パネルの表面の親水性の作用で、天井パネル面に付着しようとした結露水の表面積が大きくなり、天井パネルのドーム形状に沿うように結露水が重力で壁パネル方向に流れるため親水性を備えていない天井パネルと比べて、天井パネル面に結露しにくくより素早く天井パネル面を乾燥させることができる。
【００１１】
第３の発明は、第１の発明の天井パネルの表面が撥水性をることにより、天井パネルの表面の撥水性の作用で、付着した結露水は天井パネル面をはじき、ドーム形状に沿うように結露水が壁パネルの方向に流れるため撥水性を備えていない天井パネルと比べて、天井パネル面に結露しにくくより素早く天井パネル面を乾燥させることができる。
【００１２】
第４の発明は、第１〜３のいずれか１つの発明の、ドアの下方に下方吸入口と、上方に上方吸入口とを設けることにより、乾燥した空気がドアに設けた下方吸入口を通って床面及び壁パネルの下側に当たり、また上方吸入口を通って天井パネル面及び壁パネルの上側に当たるように流れることとなり床面を含め浴室全体を効率良く乾燥させることができる。
【００１３】
第５の発明は、第１〜４のいずれか１つの発明の、床の少なくとも一部を加熱する加熱手段を有し、前記加熱手段は前記換気扇と連動運転可能とすることにより、床に設けた加熱手段と換気扇とを連動運転することで床面からの輻射熱で床面及び浴室空間を暖められ、暖められた空気が浴室全体に流れて換気扇から浴室外へ排出することとなり床面を含め浴室全体を効率良く乾燥させることができる。
【００１４】
第６の発明は、第１〜５のいずれか１つの発明の換気扇が中央部から風を吹出す吹出口を備えたことにより、換気扇中央部に設けた吹出口から空気が吹出されるため、床面に空気が当たり、床面から壁パネル面に沿って上方部へ循環することとなり浴室全体、特に床面を効率良く乾燥させることができる。
【００１５】
第７の発明は、第１〜６のいずれか１つの発明の壁パネルと天井パネルとの接合部に排水手段を設けることにより、天井パネル面に付着した結露水がドーム形状に沿って流れる際、壁パネルと天井パネルの接合部に設けた排水手段に結露水が流れ込み排水することとなり天井パネル面の結露水が壁パネル面に移動することなく排水手段で排水することで、壁パネル面からのポタ落ちを防止することができる。
【００１６】
以下、本発明の実施の形態ついて、図面を参照しながら説明する。なお、この実施の形態によって本発明が限定されるものではない。
【００１７】
（実施の形態１）
図１は本発明の第１の実施の形態における浴室乾燥システム全体の構造を示すものであり、図２は天井パネルの外観を示すものである。
【００１８】
図１において床６を取り囲むように壁パネル７を設置し、壁パネル７の上端部に天井パネル９を設置する。壁パネル４面の内、少なくとも１面に脱衣室等からの出入を行なうドア８を設置し、ドア８の上には天井パネル９との接合を行なうドア上壁パネル２１を設け、浴槽２０を床６に設置することで浴室空間を形成する。
【００１９】
図２において天井パネル９は全体がドーム形状になっていて、天井最上部にフラット部１０を設けている。
【００２０】
また、天井パネル９の表面には親水塗料１３が塗られてあり、天井パネル９のフラット部１０には風を本体側面から吸込むサイド吸入口１２を設けた換気扇１１を設置する。
【００２１】
以上のように構成された浴室乾燥システムについて、以下その動作、作用を説明する。
【００２２】
まず、入浴後、結露した浴室を換気及び乾燥させるために換気扇１１の電源をＯＮすると脱衣室部から乾燥した空気がドア８を通って浴室内に取り込まれ、壁パネル７及びドア上壁パネル２１に沿うように上昇し、換気扇１１の周囲に設けたサイド吸入口１２吸引されるため天井パネル９に沿うよう流れ、壁パネル７や天井パネル９に付着した結露水を含んだ湿った空気が換気扇１１より浴室外へ排出される。
【００２３】
また、天井パネル９の表面には親水塗料１３が塗られていることで、入浴中天井面に付着しようとした結露水の表面積が大きくなり、結果、重力で天井パネル９のドーム形状に沿う形で結露水が壁パネル７方向へ流れ、壁パネル７を通って床６へ排水される。
【００２４】
以上のように、本実施の形態においては入浴中の天井パネル９面の結露を極力低減し、入浴後、換気扇１１を運転することで浴室全体、特に壁パネル７及び天井パネル９を素早くしかも効率良く乾燥させることができる。
【００２５】
なお、本実施の形態において、天井パネル９の表面に親水塗装１３を塗ることで入浴中の結露を極力低減させたが、親水塗装１３の代わりに撥水塗装１４を塗ることで結露水のはじきを良くし、結露水を同様に壁パネル９側へ流してしまうことで、入浴中の結露を極力低減するとしてもよい。
【００２６】
なお、本実施の形態において、天井パネル９の中央部に限定し最上部のフラット部１０を設け換気扇１１を設置させたが、天井パネル９の最上部であれば中央部でなくても良く、浴槽２０の上方の天井パネルにフラット部１０を持っていき、換気扇１１を設置してもよい。
【００２７】
また、本実施の形態では、ドア８の下方に下方吸入口１５を上方に上方吸入口１６を設けるとしたことにより、入浴後、ドアを閉じた状態で脱衣室からの風を浴室内へ取り込むことが可能となり、脱衣室が結露することがなく、しかも下方吸入口１５から入った乾燥した空気が壁パネル７の下側及び床６に当たり、上方吸入口１６から入った乾燥した空気が壁パネル７の上側及び天井パネル１３に当たることで、各部の乾燥をより効率良く行なうこともできる。
【００２８】
また、本実施の形態の床６の少なくとも一部に加熱手段１７としての電気ヒータを埋設し、換気扇１１と連動運転させることで床６からの輻射熱により床６と浴室空間を暖め、結果的に暖かい乾燥した空気が浴室各部を通過するため、より素早く乾燥させることができる。
【００２９】
（実施の形態２）
図３は、本発明の第２の実施の形態における浴室乾燥システムの換気扇の外観を示すものである。
【００３０】
本実施の形態が第１の実施の形態と異なる点は、換気扇１１の本体側面から空気を吸込むサイド吸入口１２を設け、換気扇１１中央部に空気を吹出す吹出口１８を設けていることである。
【００３１】
以上のように構成された浴室乾燥システムについて、以下その動作、作用を説明する。
【００３２】
換気扇１１のサイド吸入口１２より吸込んだ空気をを浴室外へ排気する分と浴室内へ中央部の吹出口１８より吹出す分とに分け、浴室内に振り分けられた風が浴室の床６に当たるように流れ、脱衣室から吸入された風と混じって浴室内を循環する。
【００３３】
以上のように、本実施の形態においては浴室内を空気が循環することで浴室全体、特に床面を効率良く乾燥させることができる。
【００３４】
（実施の形態３）
図４は、本発明の第３の実施の形態における浴室乾燥システムの構造を示すものである。
【００３５】
図４において、壁パネル７と天井パネル９との接合部に排水手段１９として結露水受け２３と、結露水受け２３から結露水を床６に排水するために排水配管２２を設置する。
【００３６】
以上のように構成された浴室乾燥システムについて、以下その動作、作用を説明する。
【００３７】
天井パネル９面に付着した結露水がドーム形状に沿う形で流れた際、結露水受け２３に溜まり、排水配管２２を通って床６に排水される。
【００３８】
以上のように、本実施の形態においては天井パネル９面の結露水が壁パネル７面に移動することなく排水手段部で排水することで、壁パネル７面からのポタ落ちを防止することができる。
【産業上の利用可能性】
【００３９】
以上のように、本発明にかかる浴室乾燥システムは浴室全体、特に壁パネル面及び天井パネル面を素早くしかも効率良く乾燥させることが可能となるため、洗面空間、脱衣室空間、トイレ空間の乾燥等の用途にも適用できる。
【図面の簡単な説明】
【００４０】
【図１】本発明の実施の形態１における浴室乾燥システムの断面図
【図２】本発明の実施の形態１における浴室乾燥システムの天井パネルの斜視図
【図３】本発明の実施の形態２における浴室乾燥システムの換気扇の斜視図
【図４】本発明の実施の形態３における浴室乾燥システムの断面図
【図５】従来の浴室乾燥システムの断面図
【符号の説明】
【００４１】
６  床
７  壁パネル
８  ドア
９  天井パネル
１０  フラット部
１１  換気扇
１２  サイド吸入口
１５  下方吸入口
１６  上方吸入口
１７  加熱手段
１８  吹出口
１９  排水手段
【図１】
2005097837.tif 000003
【図２】
2005097837.tif 000004
【図３】
2005097837.tif 000005
【図４】
2005097837.tif 000006
【図５】
2005097837.tif 000007